(57)【要約】【課題】器具本体を薄くコンパクトにすることができるとともに、放電灯への戻り光を低減して照明効率の向上を図ることができる照明器具を提供する。【解決手段】内面２ａが反射面に形成された器具本体２と；この器具本体２に、その内面２ａと対向するように配設された外側環形蛍光ランプ４ｏと；この外側環形蛍光ランプ４ｏの点灯回路をケース内に収容してなり、外側環形蛍光ランプ４ｏの内側にて器具本体２に配設された点灯装置６と；を具備し、外側環形蛍光ランプ４ｏは、その複数本が同心円状に配設され、その最も外側に配置された外側環形蛍光ランプ４ｏの内側に点灯装置６が配置されている。【選択図】  図３
2011108605.tif 000002
【特許請求の範囲】
【請求項１】
内面が反射面に形成された器具本体と；
この器具本体に、その内面と対向するように配設された環形蛍光ランプと；
この環形蛍光ランプの点灯回路をケース内に収容してなり、環形蛍光ランプの内側にて器具本体に配設された点灯装置と；
を具備し、
前記環形蛍光ランプは、その複数本が同心円状に配設され、その最も外側に配置された環形蛍光ランプの内側に点灯装置が配置されていることを特徴とする照明器具。
【請求項２】
点灯装置は、そのケースを、環形蛍光ランプが器具本体内面に対して垂直方向に投影される投影部と重なり合う角部を面取りした形状に形成していることを特徴とする請求項１記載の照明器具。
【請求項３】
器具本体は、その内面に、点灯装置の外側に配設された環形蛍光ランプに対向する部分において、照射方向に突出する凸部を形成したことを特徴とする請求項１または２記載の照明器具。
【発明の詳細な説明】
【技術分野】
【０００１】
本発明は円環形の蛍光ランプを具備した照明器具に関する。
【背景技術】
【０００２】
従来この種の照明器具の一例としては、特許文献１に記載されたものがある。これは天井面に取り付けられる器具本体に、放電灯としての円環形蛍光ランプと放電灯点灯装置を配設している。
【先行技術文献】
【特許文献】
【０００３】
【特許文献１】特開２００８−２６２８６１号公報
【発明の概要】
【発明が解決しようとする課題】
【０００４】
しかしながら、この特許文献１記載の照明器具では、これを天井に取り付けた状態で、その下方の照明空間から見上げたときに、環形蛍光ランプの上方に器具本体内面の反射面があり、環形蛍光ランプと反射面の間に点灯装置が重なり合うよう配設されている。このために、器具本体を、薄型化することが難しい。また、環形蛍光ランプには、点灯装置と近接対向する部分があるので、この近接対向部分から点灯装置へ照射された光の一部は点灯装置で反射されて環形蛍光ランプへ再び戻ってしまい、外部へ照射されない戻り光が発生する。このために、戻り光の分、照明効率が低下するという課題がある。この課題は発明者らの新しい知見である。
【０００５】
本発明は、このような事情を考慮してなされたもので、器具本体を薄くコンパクトにすることができるとともに、放電灯への戻り光を低減して照明効率の向上を図ることができる照明器具を提供することにある。
【課題を解決するための手段】
【０００６】
請求項１に係る照明器具は、内面が反射面に形成された器具本体と；この器具本体に、その内面と対向するように配設された環形蛍光ランプと；この環形蛍光ランプの点灯回路をケース内に収容してなり、環形蛍光ランプの内側にて器具本体に配設された点灯装置と；を具備し、前記環形蛍光ランプは、その複数本が同心円状に配設され、その最も外側に配置された環形蛍光ランプの内側に点灯装置が配置されていることを特徴とする。
【０００７】
ここで、器具本体の内面は例えば白色塗装等により反射面に形成されている。点灯装置は、複数本の環形蛍光ランプを同時に点灯可能に構成されている。環形蛍光ランプは例えば平面形状が円形の円環形に形成され、その円環形の内側に点灯装置が配設される。
【０００８】
請求項２に係る照明器具は、点灯装置は、そのケースを、環形蛍光ランプが器具本体内面に対して垂直方向に投影される投影部と重なり合う角部を面取りした形状に形成していることを特徴とする。
【０００９】
ここで、点灯装置のケースの角度を面取りするとは、環形蛍光ランプが点灯装置のケースに垂直方向に投影される部分を削除することをいう。
【００１０】
請求項３に係る照明器具は、器具本体は、その内面に、点灯装置の外側に配設された環形蛍光ランプに対向する部分において、内側へ円弧状に突出する凸部を形成したことを特徴とする。
【００１１】
ここで、器具本体の凸部は器具本体の強度向上のためにビードやリブとして一体に連成される。凸部は環形蛍光ランプの全周に対応して器具本体の全周に形成されてもよく、その一部でもよい。凸部の幅や形状は、環形蛍光ランプの直径とほぼ同じ長さからなる断面略四角形の凸部でも、三角形でもよく、その形状などに限定されるものではない。
【発明の効果】
【００１２】
請求項１に係る発明によれば、環形蛍光ランプの内側に点灯装置を配設しているので、環形蛍光ランプと器具本体内面の反射面とが直角をなす垂直方向で、環形蛍光ランプと点灯装置とが互いに重なり合うことを抑制できる。
【００１３】
これにより、器具本体の薄型化が図れるとともに、環形蛍光ランプの照射光が点灯装置で反射して再び環形蛍光ランプに戻る戻り光を低減できるので、照明効率の向上を図ることができる。
【００１４】
請求項２に係る発明によれば、点灯装置のケースの形状が環形蛍光ランプと垂直方向で重なり合う角部を面取りした形状であるので、その分、点灯装置を環形蛍光ランプ側へ近接配置できる。このために、器具本体の小形軽量化を図ることができる。
【００１５】
請求項３に係る発明によれば、点灯装置の外側に配設された環形蛍光ランプからの照射光の一部が器具本体内面の反射面の円弧状の凸部で拡散されるので、環形蛍光ランプへ戻る戻り光をさらに低減できる。このために、照明効率のさらなる向上を図ることができる。
【図面の簡単な説明】
【００１６】
【図１】本発明の一実施形態に係る照明器具のセードを外した状態の分解斜視図。
【図２】図１で示す照明器具の側面図。
【図３】図１，図２で示す照明器具のセードを取り外した状態の正面図。
【図４】図３のＩＶ−ＩＶ線断面図。
【図５】図３で示す要部平面模式図。
【図６】図５で示す環形蛍光ランプを軸直角方向で切断した切断部の断面図。
【発明を実施するための形態】
【００１７】
以下、本発明の実施形態を図面に基づいて説明する。なお、複数の図面中、同一または相当部分には同一符号を付している。
【００１８】
図１は本発明の一実施形態に係る照明器具のセードを外した状態の分解斜視図、図２はその側面図である。この図１，図２に示すように照明器具１は、図示しない天井等に取り付けられる金属製の器具本体２、この器具本体２を天井等の図示しない引っ掛けシーリングに着脱可能に取り付ける取付アダプタ３、器具本体２の内面２ｂ側に配設される、環径が異なる例えば大小２本の環径の円環形等の環形蛍光ランプ４ｉ，４ｏ、プルスイッチ５（図３参照）、点灯装置６およびセード７を具備している。
【００１９】
器具本体２は、外形が薄形円盤状に形成される一方、中央部には、円形貫通孔の取付孔２ａを形成し、内面のほぼ全面に、例えば白色塗装等による反射面２ｂを形成している。この内面２ｂには、その内側（図１，図２では下側）へ同心円状に突出する複数の凸状リブ２ｃや内面側で凹む複数の凹部リブ２ｄをそれぞれ形成して器具本体２の強度の向上を図っている。これら凹部リブ２ｄ，…は、取付孔２ａから遠心方向外方へ延在するように放射状に形成されている。
【００２０】
取付アダプタ３は、高さが薄い円盤状に形成され、器具本体２の取付孔２ａ内の図１，図２中下部側に図示しない連結部を介して器具本体２に一体的に固定され、その連結部に沿って配線されるリード等により点灯装置６の電源入力側のコネクタに接続されている。取付アダプタ３は器具本体２の天井面への取付時に、天井面に設置されている引っ掛けシーリングに電気的かつ機械的に接続される。
【００２１】
小径の環形蛍光ランプ４ｉは、器具本体２の内面２ｂの内周側に配設され、大径の環形蛍光ランプ４ｏは、小径の内側環形蛍光ランプ４ｉの外側に、最外側の環形蛍光ランプ４ｏとして同心円状に配設される。これら環形蛍光ランプ４ｉ，４ｏは、例えば管外径が約１６ｍｍの環形のガラスバルブを有し、ガラスバルブ内には希ガスと水銀を有する放電媒体が封入される。このガラスバルブの内面には、蛍光体膜が形成され、ガラスバルブの両端には電極が形成されている。ガラスバルブ２の両端部には、これら両端部を跨って口金４ａが配設され、口金４ａには、電極に電気的に接続された複数の口金ピン４ｂが器具本体２の中央部に向けて配設される。各口金４ａは点灯装置６の電気出力側に接続される図示しないソケットに着脱可能に装着されて受電する。
【００２２】
各環形蛍光ランプ４ｉ，４ｏは各ランプホルダ８のＣ字状保持部内に、着脱可能に挿入されて保持される。各ランプホルダ８は器具本体２の内面２ｂに固着されている。
【００２３】
器具本体２は、その内面２ｂに、凹状リブ２ｄの近傍にてプルスイッチ５を配設している。また、器具本体２は、その図１中下部に、セード７を着脱可能に取り付ける取付縁部を形成している。セード７は透光性を有する、例えば乳白色の合成樹脂により、図１，図２中、下方へ大きな円弧面でなだらかに突出する薄型ドーム形状に形成されている。
【００２４】
図３に示すように点灯装置６は点灯回路部９、リモコン部１０およびＬＥＤ照射部１１を有する。
【００２５】
ＬＥＤ照射部１１は、例えばＳＭＤ（砲弾型）等の複数の常夜灯用ＬＥＤ（発光ダイオード）を内蔵し、この常夜灯用ＬＥＤの発光を照射する、例えば矩形の照射窓１１ａを有する。リモコン部１０は、図示しないリモコン受光回路装置を内蔵している。リモコン受光回路装置は、図示しないリモコン装置からの赤外線等の光制御信号を受けて、受光センサに導光する導光筒１０ａおよび受信回路を有し、このリモコン受光センサおよび受信回路により受信した制御信号を点灯回路部９に与えて内，外側蛍光ランプ４ｉ，４ｏと常夜灯用ＬＥＤの点灯，消灯を制御させる。各蛍光ランプ４ｉ，４ｏについては制御信号に応じて調光も行う。
【００２６】
また、点灯回路部９は、プルスイッチ５からのオンオフ制御信号を受けて各蛍光ランプ４ｉ，４ｏと常夜灯用ＬＥＤの点灯，消灯を制御する。プルスイッチ５は図示しない紐を有し、この紐をユーザが引く毎に、蛍光ランプ４ｉ，４ｏと常夜灯用ＬＥＤをオンオフ制御するオンオフ制御信号を順次出力し、点灯回路部９に与える。
【００２７】
そして、図３，図４に示すように点灯装置６は、外側環形蛍光ランプ４ｏの内側に配設され、さらに、外側環形蛍光ランプ４ｏと重なり合う角部６ａ，６ｂを面取りにより削除された形状に形成されている。すなわち、外側環形蛍光ランプ４ｏが器具本体２の内面（反射面）２ａに対して垂直方向に投影される影部と重なり合う点灯装置６の２つの角部６ａ，６ｂを切除している。また、器具本体２の内面（反射面）２ａには外側環形蛍光ランプ４ｏと対向する部分にて、器具本体２の内面２ａの内方、すなわち外側環形蛍光ランプ４ｏ側へ円弧状に突出する環状の凸リブ２ｃを外側環形蛍光ランプ４ｏと同軸状かつ全周に形成している。この環状凸リブ２ｃは、その幅を外側環形蛍光ランプ４ｏの軸直角方向の長さ（直径）とほぼ同じ、または若干小さい幅に形成される。
【００２８】
次に、この照明器具１の作用を説明する。
【００２９】
図１に示すように、器具本体２は、取付アダプタ３により、天井面に設置されている引っ掛けシーリングに取り付けられて、器具本体２が天井面に支持されるとともに、器具本体２側と引っ掛けシーリング側とが電気的に接続される。
【００３０】
そして、図示しないリモコン装置を適宜操作して、その赤外線の制御信号を照明器具１のセード７の中央部に向けて送信すると、この光制御信号はセード７を透過して点灯装置６のリモコン部１０の導光筒１０ａ内に入射され、リモコン受光回路装置の受光センサにより受光される。
【００３１】
この受光センサにより受光された制御信号は点灯装置６の点灯回路部９に与えられる。
【００３２】
このために、点灯回路部９は制御信号に応じて蛍光ランプ４ｉ，４ｏと常夜灯用ＬＥＤの点灯，消灯、または蛍光ランプ４ｉ，４ｏの調光を制御する。また、点灯回路部９はプルスイッチ５の操作に応じて蛍光ランプ４ｉ，４ｏと常夜灯用ＬＥＤの点灯等を制御する。
【００３３】
そして、この照明器具１によれば、外側環形蛍光ランプ４ｏの内側に点灯装置６を配設しているので、外側環形蛍光ランプ４ｏが器具本体２の内面（反射面）２ａに対して垂直方向に投影される投影部に、点灯装置６が重なり合うことを防止できる。
【００３４】
これにより、図６に示すように外側環形蛍光ランプ４ｏの反射内面２ａ側へ照射光が点灯装置６で反射して再び外側環形蛍光ランプ４ｏに戻る戻り光を低減できるので、照明効率の向上を図ることができる。さらに点灯装置６の外側に配設された外側環形蛍光ランプ４ｏからの照射光の一部が矢線に示すように器具本体内面２ａの反射面の円弧状かつ環状の凸リブ２ｃへ照射されると、この凸リブ２ｃの円弧曲面により器具本体２全周に向かう光が均一に拡散されるので、下方向および器具本体２の周方向へ照射できるので、セード７全体を均一に光らせることができる。このために、照明効率のさらなる向上を図ることができる。また、点灯装置６のケースの形状が外側環形蛍光ランプ４ｏと垂直方向で重なり合う角部を面取りした形状であるので、その分、点灯装置を外側環形蛍光ランプ４ｏの内周側へ近接配置できる。このために、器具本体２の小形軽量化を図ることができる。
【００３５】
さらに、外側環形蛍光ランプ４ｏと点灯装置６が照明器具１の厚さ方向で重なり合うことかどないので、照明器具１を薄くできる。また、外側環形蛍光ランプ４ｏと点灯装置６が照明器具１の厚さ方向、すなわち、照明器具１を天井面に取り付けたときの上下方向で照明器具１が重なり合うことがないので、点灯中の外側環形蛍光ランプ４ｏの点灯装置６への熱影響を抑制することができる。
【符号の説明】
【００３６】
１…照明器具、２…器具本体、２ｃ…環状凸リブ、４ｉ…内側環形蛍光ランプ、４ｏ…外側環形蛍光ランプ、６…点灯装置、６ａ，６ｂ…点灯装置の面取りされた角部、９…点灯回路部、１０…リモコン部、１１ａ…ＬＥＤ照射部。
【図１】
2011108605.tif 000003
【図２】
2011108605.tif 000004
【図３】
2011108605.tif 000005
【図４】
2011108605.tif 000006
【図５】
2011108605.tif 000007
【図６】
2011108605.tif 000008